(57)【要約】【課題】ユーザにとって快適な空調環境を作り出す空調管理サーバを提供する。【解決手段】  空調管理サーバ１０１は、空調機器によって温度が管理される空間内に配置される複数のユーザ端末のそれぞれのユーザにより入力される気温評価を、複数のユーザ端末のそれぞれから取得する評価取得部１１０と、気温評価に基づいて、快適温度ゾーンを設定する快適温度ゾーン設定部１２０と、を備える。【選択図】図４
2020180744.tif 000002
【特許請求の範囲】
【請求項１】
空調管理サーバであって、
空調機器によって温度が管理される空間内に配置される複数のコンピュータのそれぞれのユーザにより入力される気温評価を、前記複数のコンピュータのそれぞれから取得する評価取得部と、
前記気温評価に基づいて、快適温度ゾーンを設定する快適温度ゾーン設定部と、
を備える、空調管理サーバ。
【請求項２】
請求項１に記載の空調管理サーバであって、
前記気温評価は、暑い場合になされる第１気温評価及び寒い場合になされる第２気温評価を含む、空調管理サーバ。
【請求項３】
請求項２に記載の空調管理サーバであって、
前記快適温度ゾーン設定部は、前記第１気温評価の件数及び前記第２気温評価の件数に基づいて、前記快適温度ゾーンを設定する、空調管理サーバ。
【請求項４】
請求項３に記載の空調管理サーバであって、
前記評価取得部は、所定の第１時間間隔ごとに取得される前記第１気温評価の件数及び前記第２気温評価の件数に基づいて前記快適温度ゾーンが設定された場合に、
前記第１時間間隔よりも長い第２時間間隔で、前記快適温度ゾーンを設定する、空調管理サーバ。
【請求項５】
請求項３又は４に記載の空調管理サーバであって、
前記快適温度ゾーン設定部は、
前記第１気温評価の件数が、前記第２気温評価の件数よりも多い場合は、前記快適温度ゾーンの最大値を下げ、
前記第１気温評価の件数が、前記第２気温評価の件数よりも少ない場合は、前記快適温度ゾーンの最小値を上げるように、前記快適温度ゾーンを設定する、空調管理サーバ。
【請求項６】
請求項５に記載の空調管理サーバであって、
前記快適温度ゾーン設定部は、
前記最大値と前記最小値の差であるゾーン幅が所定の上限値及び下限値の範囲内にあるように、前記快適温度ゾーンを設定する、空調管理サーバ。
【請求項７】
請求項６に記載の空調管理サーバであって、
前記快適温度ゾーン設定部は、
前記最大値を下げる場合、前記最小値を前記最大値の減少量と同量減少させ、
前記最小値を上げる場合、前記最大値を前記最小値の増加量と同量増加させるように、前記快適温度ゾーンを設定する、空調管理サーバ。
【請求項８】
請求項１から７のいずれか一項に記載の空調管理サーバであって、
前記複数のコンピュータのそれぞれから、前記複数のコンピュータのそれぞれのＣＰＵ温度を含む端末温度情報を取得する温度情報取得部と、
前記端末温度情報に基づいて、前記複数のコンピュータのそれぞれの周囲の気温の推定値である推定気温を算出する気温推定部と、をさらに備える、空調管理サーバ。
【請求項９】
請求項８に記載の空調管理サーバであって、
前記端末温度情報には、前記コンピュータのＣＰＵの種別及び前記コンピュータのＣＰＵ使用率が含まれる、空調管理サーバ。
【請求項１０】
請求項９に記載の空調管理サーバであって、
前記空間内に設けられた気温センサによって計測気温を取得するセンサ情報取得部、をさらに備え、
前記快適温度ゾーン設定部は、前記推定気温、前記計測気温、及び前記気温評価に基づいて、前記快適温度ゾーンを設定する、空調管理サーバ。
【請求項１１】
請求項９又は１０に記載の空調管理サーバであって、
前記端末温度情報及び当該端末温度情報が取得された際における気温の実測値を教師データとして、機械学習された気温推定モデルが記憶される記憶部を、さらに備え、
前記気温推定部は、前記気温推定モデルにより前記推定気温を算出する、空調管理サーバ。
【請求項１２】
請求項９又は１０に記載の空調管理サーバであって、
前記温度情報取得部は、前記コンピュータが起動してから経過した起動時間を取得し、
前記気温推定部は、前記端末温度情報及び前記起動時間の関数として予め定義された気温推定モデルにより、前記推定気温を算出する、空調管理サーバ。
【請求項１３】
請求項１１又は１２に記載の空調管理サーバであって、
前記コンピュータの画面に、前記空間の地図画面を表示し、
前記地図画面に、前記ユーザの位置、前記推定気温に関する情報、及び前記ユーザとは異なるユーザによる前記気温評価、を重ねて表示する他者評価表示部を、さらに備える、空調管理サーバ。
【請求項１４】
請求項１３に記載の空調管理サーバであって、
前記他者評価表示部は、前記ユーザによる前記気温評価を、前記地図画面に、前記異なるユーザの位置に対応させて表示する、空調管理サーバ。
【請求項１５】
請求項１１又は１２に記載の空調管理サーバであって、
前記空調機器の管理者のコンピュータの画面に、前記空間の地図画面を表示し、
前記地図画面に、前記推定気温に関する情報、前記複数のユーザによる前記気温評価、及び前記空調機器のそれぞれが気温を管理可能な範囲、を重ねて表示する管理画面表示部を、さらに備える、空調管理サーバ。
【請求項１６】
請求項１５に記載の空調管理サーバであって、
前記管理画面表示部は、前記複数のユーザによる前記気温評価を、前記地図画面に、前記複数のユーザのそれぞれの位置に対応させて表示する、空調管理サーバ。
【請求項１７】
空調管理方法であって、
空調管理サーバが、
空調機器によって温度が管理される空間内に配置される複数のコンピュータのそれぞれのユーザにより入力される気温評価を、前記複数のコンピュータのそれぞれから取得する評価取得ステップと、
前記気温評価に基づいて、快適温度ゾーンを設定する快適温度ゾーン設定ステップと、
を含む、空調管理方法。
【請求項１８】
空調管理サーバに、
空調機器によって温度が管理される空間内に配置される複数のコンピュータのそれぞれのユーザにより入力される気温評価を、前記複数のコンピュータのそれぞれから取得する評価取得部と、
前記気温評価に基づいて、快適温度ゾーンを設定する快適温度ゾーン設定部と、
を実現させるための、空調管理プログラム。
【発明の詳細な説明】
【技術分野】
【０００１】
本発明は、空調管理サーバ、空調管理方法、及び空調管理プログラムに関する。
【背景技術】
【０００２】
オフィス等の空間内の空調を管理するにあたっては、その空間にいる人々（ユーザ）にとって快適な環境であることが好ましい。ユーザの環境に対する要求を反映することによって、快適な環境となるような管理をすることがある。特許文献１には、空間内のセンサを増やすことなく、かつ管理者の負担を増やすことなく、空間内のユーザの要求を反映し、快適な環境を作り出すための環境設備制御システムが記載されている。
【先行技術文献】
【特許文献】
【０００３】
【特許文献１】特許第４４８７５５０号公報
【発明の概要】
【発明が解決しようとする課題】
【０００４】
ユーザからの要求と設備設定を直接的に関連付けて空調管理を行う場合、空調機器の設定は、ユーザの空調環境に対する要求が満たされるような最適値が得られるまで、刻々と変化することとなる。空調機器の設定が変更されることによって、ユーザの新たな要求を誘発する場合がある。その場合に空調管理を改めて行うことによって、空調環境の安定性が低下する。その場合、ユーザにとって快適な空調環境となるような制御には時間が必要となることがあった。よって、その間はユーザにとっては快適な環境を提供できていない場合があった。
【０００５】
そこで、本発明は、ユーザにとって快適な空調環境を作り出す空調管理サーバを提供することを目的とする。
【課題を解決するための手段】
【０００６】
本発明の一態様に係る空調管理サーバは、空調機器によって温度が管理される空間内に配置される複数のコンピュータのそれぞれのユーザにより入力される気温評価を、複数のコンピュータのそれぞれから取得する評価取得部と、気温評価に基づいて、快適温度ゾーンを設定する快適温度ゾーン設定部と、を備える。
【０００７】
この態様によれば、空調管理サーバは、評価取得部により空間内のユーザからの気温評価を取得し、気温評価に基づいて、快適温度ゾーンの設定を行う。空調機器は、空間内の気温が快適温度ゾーンの範囲内に位置するような空調制御を行う。複数のユーザからの気温評価を反映して設定される快適温度ゾーンに基づいて、空調機器に空調制御を行わせることで、ユーザにとって快適な空調環境を作り出すことができる。
【０００８】
上記態様において、気温評価は、暑い場合になされる第１気温評価及び寒い場合になされる第２気温評価を含んでもよい。
【０００９】
上記態様において、快適温度ゾーン設定部は、第１気温評価の件数及び第２気温評価の件数に基づいて、快適温度ゾーンを設定してもよい。
【００１０】
上記態様において、評価取得部は、所定の第１時間間隔ごとに取得される第１気温評価の件数及び第２気温評価の件数に基づいて快適温度ゾーンが設定された場合に、第１時間間隔よりも長い第２時間間隔で、快適温度ゾーンを設定してもよい。
【００１１】
上記態様において、快適温度ゾーン設定部は、第１気温評価の件数が、第２気温評価の件数よりも多い場合は、快適温度ゾーンの最大値を下げ、第１気温評価の件数が、第２気温評価の件数よりも少ない場合は、快適温度ゾーンの最小値を上げるように、快適温度ゾーンを設定してもよい。
【００１２】
上記態様において、快適温度ゾーン設定部は、最大値と最小値の差であるゾーン幅が所定の上限値及び下限値の範囲内にあるように、快適温度ゾーンを設定してもよい。
【００１３】
上記態様において、快適温度ゾーン設定部は、最大値を下げる場合、最小値を最大値の減少量と同量減少させ、最小値を上げる場合、最大値を最小値の増加量と同量増加させるように、快適温度ゾーンを設定してもよい。
【００１４】
上記態様において、複数のコンピュータのそれぞれから、複数のコンピュータのそれぞれのＣＰＵ温度を含む端末温度情報を取得する温度情報取得部と、端末温度情報に基づいて、複数のコンピュータのそれぞれの周囲の気温の推定値である推定気温を算出する気温推定部と、をさらに備えてもよい。
【００１５】
上記態様において、端末温度情報には、コンピュータのＣＰＵの種別及びコンピュータのＣＰＵ使用率が含まれてもよい。
【００１６】
上記態様において、空間内に設けられた気温センサによって計測気温を取得するセンサ情報取得部、をさらに備え、快適温度ゾーン設定部は、推定気温、計測気温、及び気温評価に基づいて、快適温度ゾーンを設定してもよい。
【００１７】
上記態様において、端末温度情報及び当該端末温度情報が取得された際における気温の実測値を教師データとして、機械学習された気温推定モデルが記憶される記憶部を、さらに備え、気温推定部は、気温推定モデルにより推定気温を算出してもよい。
【００１８】
上記態様において、温度情報取得部は、コンピュータが起動してから経過した起動時間を取得し、気温推定部は、端末温度情報及び時間の関数として予め定義された気温推定モデルにより推定気温を算出してもよい。
【００１９】
上記態様において、コンピュータの画面に、空間の地図画面を表示し、地図画面に、ユーザの位置、推定気温に関する情報、及びユーザとは異なるユーザによる気温評価、を重ねて表示する他者評価表示部を、さらに備えてもよい。
【００２０】
上記態様において、他者評価表示部は、ユーザによる気温評価を、地図画面に、異なるユーザの位置に対応させて表示してもよい。
【００２１】
上記態様において、空調機器の管理者のコンピュータの画面に、空間の地図画面を表示し、地図画面に、推定気温に関する情報、複数のユーザによる気温評価、及び空調機器のそれぞれが気温を管理可能な範囲、を重ねて表示する管理画面表示部を、さらに備えてもよい。
【００２２】
上記態様において、管理画面表示部は、複数のユーザによる気温評価を、地図画面に、複数のユーザのそれぞれの位置に対応させて表示してもよい。
【００２３】
本発明の一態様に係る空調管理方法は、空調管理サーバが、空調機器によって温度が管理される空間内に配置される複数のコンピュータのそれぞれのユーザにより入力される気温評価を、複数のコンピュータのそれぞれから取得する評価取得ステップと、気温評価に基づいて、快適温度ゾーンを設定する快適温度ゾーン設定ステップと、を含む。
【００２４】
本発明の一態様に係る空調管理プログラムは、空調管理サーバに、空調機器によって温度が管理される空間内に配置される複数のコンピュータのそれぞれのユーザにより入力される気温評価を、複数のコンピュータのそれぞれから取得する評価取得部と、気温評価に基づいて、快適温度ゾーンを設定する快適温度ゾーン設定部と、を実現させる。
【発明の効果】
【００２５】
本発明によれば、ユーザにとって快適な空調環境を作り出す空調管理サーバを提供することができる。
【図面の簡単な説明】
【００２６】
【図１】本実施形態に係る空調管理サーバを用いたシステムの構成図である。
【図２】実施形態において空調管理がなされる空間の平面図である。
【図３】快適温度ゾーンの一例を示す図である。
【図４】本実施形態に係る空調管理サーバのブロック図である。
【図５】本実施形態に係る空調管理サーバを用いたシステムのシーケンス図である。
【図６】空間内の気温とコンピュータのＣＰＵ温度との相関を示す図である。
【図７】気温推定モデルによる推定気温の算出のフローチャートである。
【図８】推定気温の算出に用いられる気温推定モデルの一例である。
【図９】推定気温の算出に用いられる気温推定モデルの他の一例である。
【図１０】気温推定モデルによる推定気温の算出のフローチャートである。
【図１１】本実施形態に係る空調管理サーバによる空調管理を説明する図である。
【図１２】本実施形態に係る空調管理サーバによる空調管理を説明する図である。
【図１３】本実施形態に係る空調管理サーバによる快適温度ゾーンの設定を説明するフローチャートである。
【図１４】ユーザによる気温評価の入力画面の一例を示す図である。
【図１５】本実施形態に係る空調管理サーバによる空調管理を説明する図である。
【図１６】本実施形態に係る空調管理サーバによる快適温度ゾーンの設定の他の一例を説明するフローチャートである。
【図１７】本実施形態に係る空調管理サーバによる空調管理の他の一例を説明する図である。
【図１８】ユーザ端末に推定気温等の情報を表示する処理のフローチャートである。
【図１９】ユーザ端末に推定気温等の情報を表示する画面の一例である。
【図２０】空調機器の管理者の端末に推定気温等の情報を表示する処理のフローチャートである。
【図２１】空調機器の管理者の端末に推定気温等の情報を表示する画面の一例である。
【発明を実施するための形態】
【００２７】
添付図面を参照して、本発明の好適な実施形態について説明する。（なお、各図において、同一の符号を付したものは、同一又は同様の構成を有する。）
【００２８】
図１に本実施形態に係る空調管理サーバ１０１を用いた空調管理システム１０の構成図を示す。空調管理システム１０は、空調管理サーバ１０１、ユーザ端末２０１、管理者端末２０２、空調機器３０１、及び気温センサ４０１を備える。
【００２９】
空調管理サーバ１０１はネットワークＮを介してユーザ端末２０１、管理者端末２０２、気温センサ４０１と通信可能である。ユーザ端末２０１及び管理者端末２０２は、例えば、デスクトップ型のパーソナルコンピュータである。あるいは、ノート型のパーソナルコンピュータやタブレット端末等の持ち運び可能なコンピュータであってもよい。
【００３０】
図２に示すように複数のユーザ端末２０１が空間Ｓの内部に配置される。それぞれのユーザ端末２０１のユーザＵが、ユーザ端末２０１を使用する。
【００３１】
空調機器３０１は、空間Ｓの空調を管理するための機器である。空調機器３０１が気温を管理可能な範囲Ａ１、Ａ２、及びＡ３がそれぞれ示される。空調機器３０１は、それぞれの範囲Ａ１、Ａ２、及びＡ３における空調を管理する。空調機器３０１は、一台の機器によって構成されてもよく、また、複数台の機器によって構成されてもよい。
【００３２】
気温センサ４０１は、空間Ｓの内部に複数配置される。気温センサ４０１によって、気温センサ４０１の周囲の気温を計測することができる。
【００３３】
本実施形態において、空調の管理は、快適温度ゾーンＣＺに基づいて行われる。図３を参照して快適温度ゾーンＣＺについて説明する。快適温度ゾーンＣＺとは、空間Ｓ内のユーザＵが周辺環境の温度環境が快適であると感じる温度領域である。図３には、年間における快適温度ゾーンＣＺの基準値の推移が示される。
【００３４】
快適温度ゾーンＣＺの基準値は、最大値Ｔｍａｘ、最小値Ｔｍｉｎを有する。最大値Ｔｍａｘ、最小値Ｔｍｉｎは、一年間を通して、各時期に適した値に設定される。例えば、夏場の８月における最大値Ｔｍａｘ、最小値Ｔｍｉｎは、冬場の２月における最大値Ｔｍａｘ、最小値Ｔｍｉｎよりも高い温度である。
【００３５】
空調機器３０１は、空間Ｓの気温が、快適温度ゾーンＣＺ内に位置するように制御される。空調機器３０１の制御については後述する。
【００３６】
本実施形態に係る空調管理サーバ１０１について、図４のブロック図を参照しつつ説明する。空調管理サーバ１０１は、評価取得部１１０、快適温度ゾーン設定部１２０、温度情報取得部１３０、センサ情報取得部１４０、気温推定部１５０、記憶部１６０、入力画面表示部１７０、他者評価表示部１８０、及び管理画面表示部１９０を有する。図４に示す各部は、例えば、空調管理サーバ１０１において、メモリ等の記憶領域を用いたり、記憶領域に格納されたプログラムをプロセッサが実行したりすることにより、実現することができる。
【００３７】
評価取得部１１０は、後述する手順によって、空間Ｓ内のユーザＵによる気温評価を取得する。快適温度ゾーン設定部１２０は、評価取得部１１０によって取得された気温評価又は記憶部１６０に記録された各時期の快適温度ゾーンＣＺの基準値に基づいて、快適温度ゾーンＣＺを設定する。
【００３８】
温度情報取得部１３０は、各ユーザ端末２０１から、各ユーザ端末２０１の端末温度情報を取得する。端末温度情報は例えば、ＣＰＵ温度に関する情報である。ＣＰＵ温度に関する情報には、最高ＣＰＵ温度等の情報が含まれる。センサ情報取得部１４０は、空間Ｓ内に配置される気温センサ４０１から、気温センサ４０１によって計測された計測気温を取得する。
【００３９】
気温推定部１５０は、端末温度情報又は計測気温に基づいて、空間Ｓ内の各ユーザＵの周囲の気温を推定する。気温の推定の方法については、後述する。
【００４０】
記憶部１６０は、快適温度ゾーンＣＺの基準値の情報、気温推定部１５０による気温の推定に用いられる情報、及び空間Ｓの地図情報を記憶する。
【００４１】
入力画面表示部１７０は、ユーザＵによる気温評価を入力するための画面を生成し、ユーザ端末２０１の各画面において表示させる。
【００４２】
他者評価表示部１８０は、各ユーザ端末２０１の画面において、各ユーザＵの位置、各地点の気温及び他のユーザＵによる気温評価を表示する。
【００４３】
管理画面表示部１９０は管理者端末２０２の画面において、空調機器３０１の管理に用いる情報を表示する。
【００４４】
空調管理システム１０による範囲Ａ１に対する空調管理について説明する。図５のシーケンス図を用いて概略を説明する。ここでは、範囲Ａ１に配置される２つのユーザ端末２０１からの情報に基づく場合について説明する。なお、ユーザ端末２０１は２つより多く配置されていてもよいし、１つでもよい。
【００４５】
ステップＳ１０１において、空調管理サーバ１０１によって、快適温度ゾーンＣＺの初期値が設定される。ステップＳ１０２において、空調管理サーバ１０１から管理者端末２０２へと、快適温度ゾーンＣＺの初期値が送信される。
【００４６】
ステップＳ１０３において、管理者端末２０２から空調管理サーバ１０１へ、快適温度ゾーンＣＺに基づいて設定された、空調機器３０１の設定温度Ｔｓｅｔが送信される。設定温度Ｔｓｅｔは空調管理サーバ１０１の記憶部１６０に記憶される。
【００４７】
ステップＳ１０４、Ｓ１０５において、２つのユーザ端末２０１からそれぞれの端末温度情報が空調管理サーバ１０１へ送信される。
【００４８】
ステップＳ１０６において、空調管理サーバ１０１は、それぞれの端末温度情報に基づいて、推定気温Ｔａを推定する。推定気温Ｔａが範囲Ａ１の気温として用いられる。ステップＳ１０７において、空調管理サーバ１０１から管理者端末２０２へ推定気温Ｔａが送信される。
【００４９】
ステップＳ１０８、Ｓ１０９において、空調管理サーバ１０１は、ユーザ端末２０１のそれぞれへ設定温度Ｔｓｅｔを含む入力画面情報を送信する。
【００５０】
ステップＳ１１０、Ｓ１１１において、空調管理サーバ１０１は、ユーザ端末２０１のそれぞれから空調評価を取得する。
【００５１】
ステップＳ１１２において、空調管理サーバ１０１は、空調評価を集計する。ステップＳ１１３において、空調管理サーバ１０１は、空調評価に基づいて変更された快適温度ゾーンＣＺを設定する。
【００５２】
ステップＳ１１４において、空調管理サーバ１０１から管理者端末２０２へと、変更された快適温度ゾーンＣＺが送信される。以降、空調管理システム１０は、ステップＳ１０３からステップＳ１１４までの処理を繰り返して空調管理を行う。
【００５３】
ステップＳ１０１における、空調管理サーバ１０１による快適温度ゾーンＣＺの初期値の設定は、快適温度ゾーン設定部１２０が、記憶部１６０に記憶された快適温度ゾーンＣＺの基準値の情報を取得し、各時期に適切な初期値を設定することによって行われる。
【００５４】
設定温度Ｔｓｅｔは、快適温度ゾーンＣＺに関する情報に基づいて、管理者によって設定される。管理者は、リモコンなどの外部機器を用いて空調機器３０１に設定温度Ｔｓｅｔを送信する。空調機器３０１がネットワークＮに接続される場合、管理者がネットワークＮを介して空調機器３０１に設定温度Ｔｓｅｔを送信できるようにしてもよい。
【００５５】
空調機器３０１は、領域Ａの気温が設定温度Ｔｓｅｔに近づくように空調制御を行う。空調機器３０１による設定温度Ｔｓｅｔに基づいた空調制御には公知の手法を用いることができる。
【００５６】
図６から図９を参照して、空調管理サーバ１０１における、気温推定部１５０による推定気温Ｔａの推定について説明する。
【００５７】
推定気温Ｔａの算出はユーザ端末２０１における最高ＣＰＵ温度と気温との相関関係に基づいて行われる。図６に相関関係の一例を示す。図６の横軸はあるユーザ端末２０１を使用するユーザＵの周囲の気温、縦軸はコンピュータの最高ＣＰＵ温度である。図６は散布図であり、ユーザＵの周囲の気温と、対応する最高ＣＰＵ温度が示される。この散布図において、回帰分析を行うことによって、周囲気温と最高ＣＰＵ温度との相関関係が求められる。
【００５８】
図６には、周囲気温と最高ＣＰＵ温度との相関関係を、ユーザＵの周囲の気温を目的変数、最高ＣＰＵ温度を説明変数とする単回帰分析によって求めた結果得られた回帰直線が直線Ｌとして示される。直線Ｌによって最高ＣＰＵ温度から、ユーザＵの周囲の気温を算出することができる。
【００５９】
また、回帰分析において、説明変数としてＣＰＵ温度以外の端末温度情報や、センサ情報取得部１４０からの計測気温を加え、ユーザＵの周囲の気温を目的変数とする重回帰分析を行ってもよい。端末温度情報には、例えば、ＣＰＵ温度に加えてＣＰＵタイプ及びＣＰＵ使用率が含まれる。
【００６０】
単回帰分析と重回帰分析のいずれの場合においても、記憶部１６０には、端末温度情報及び当該端末温度情報が取得された際におけるユーザＵの周囲の気温の実測値を教師データとして、機械学習された気温推定モデルが記憶される。
【００６１】
ユーザＵの周囲の気温の推定は、図７に示されるフローチャートに沿って行われる。ステップＳ２０１において、温度情報取得部１３０は、ユーザ端末２０１から、ＣＰＵ温度、ＣＰＵタイプ、ＣＰＵ使用率を含む端末温度情報を取得する。
【００６２】
ステップＳ２０２において、気温推定部１５０は、単回帰分析による単回帰モデルを気温推定モデルとして用いるか否かを判断する。
【００６３】
ステップＳ２０２において肯定判断された場合、ステップＳ２１３において、気温推定部１５０は、ＣＰＵ温度及びＣＰＵ温度が取得された際におけるユーザＵの周囲の気温の実測値を教師データとして機械学習された学習済みの気温推定モデルを選択する。
【００６４】
ステップＳ２０２において否定判断された場合、ステップＳ２２３において、気温推定部１５０は、ＣＰＵ温度、ＣＰＵタイプ、ＣＰＵ使用率及び計測気温及びＣＰＵ温度、ＣＰＵタイプ、ＣＰＵ使用率及び計測気温が取得された際におけるユーザＵの周囲の気温の実測値を教師データとして機械学習された学習済みの気温推定モデルを選択する。
【００６５】
ステップＳ２０４において、気温推定部１５０は、選択された気温推定モデルから、各ユーザＵの周囲の気温を推定する。
【００６６】
ステップＳ２０５において、気温推定部１５０は、推定気温Ｔａの推定にあたり、計測気温を使用するか否かを判断する。
【００６７】
ステップＳ２０５において肯定判断された場合、ステップＳ２１６において、センサ情報取得部１４０は気温センサ４０１から計測気温を取得する。
【００６８】
ステップＳ２１７において、気温推定部１５０は、各ユーザＵの周囲の気温及び計測気温の平均値として、推定気温Ｔａを推定する。
【００６９】
ステップＳ２０５において否定判断された場合、ステップＳ２２７において、気温推定部１５０は、各ユーザＵの周囲の気温の平均値として、推定気温Ｔａを推定する。
【００７０】
気温推定部１５０は、機械学習した気温推定モデルを用いずに、事前に定義した気温推定モデルを用いてもよい。図８には、ユーザ端末２０１が起動してから経過した起動時間と、ＣＰＵ温度との関係が示される。図９には、ＣＰＵ使用率とＣＰＵ温度との関係が示される。これらの関係に基づいて、ＣＰＵ温度を、起動時間及びＣＰＵ使用率によって算出することができる。ＣＰＵタイプの情報をさらに加えることによって、ＣＰＵ温度の算出精度を高くすることができる。
【００７１】
図８、図９に示されるようなモデルに基づいて算出されたＣＰＵ温度と、ユーザＵの周囲の気温との関係を事前に定義したモデルに当てはめることによって、各ユーザＵの周囲の気温を推定できる。
【００７２】
図１０に、事前に定義した気温推定モデルによる推定気温Ｔａの推定のフローチャートが示される。ステップＳ３０１において、温度情報取得部１３０は、ＣＰＵタイプ、ＣＰＵ使用率、及び端末の起動からの時間をユーザ端末２０１から取得する。ステップＳ３０２において、温度情報取得部１３０は、記憶部１６０から、記憶部１６０に予め記憶された端末ごとの補正値を取得する。
【００７３】
ステップＳ３０３において、気温推定部１５０は、ＣＰＵタイプ、ＣＰＵ使用率、起動時間、及び端末ごとの補正値の関数として、各ユーザＵの周囲の気温を推定する。
【００７４】
ステップＳ３０４において、気温推定部１５０は、各ユーザＵの周囲の気温の平均値として、推定気温Ｔａを推定する。
【００７５】
なお、図７のフローチャートに示される処理と同様に、推定気温Ｔａの推定にあたり、計測気温を用いることも可能としてもよい。
【００７６】
以上説明した気温推定部１５０が気温推定モデルによって算出した推定気温Ｔａに基づいて、管理者端末２０２を介して空調機器３０１の設定温度Ｔｓｅｔが設定される。
【００７７】
図１１及び図１２を参照して、推定気温Ｔａに基づいた、空調機器の設定温度Ｔｓｅｔの設定について説明する。
【００７８】
図１１には、推定気温Ｔａの変動が白丸で、及び設定温度Ｔｓｅｔの変化が黒丸で示される。横軸は時間、縦軸は温度である。図１１では、推定気温Ｔａが快適温度ゾーンＣＺの中にある状態が保たれている。この時、管理者は設定温度Ｔｓｅｔを変更しない。空調機器３０１によって、設定温度Ｔｓｅｔに従い、推定気温Ｔａが、快適温度ゾーンの中央値Ｔｃの付近に位置するような制御が行われる。
【００７９】
図１２には、推定気温Ｔａが快適温度ゾーンＣＺの最大値Ｔｍａｘより大きい状態から、快適温度ゾーンＣＺの中にある状態に至るまでの推定気温Ｔａの変動及び設定温度Ｔｓｅｔの変化が示される。
【００８０】
最初の状態において、推定気温Ｔａは快適温度ゾーンＣＺの上方にあるので、ユーザＵにとって暑い状態となっている。よって、管理者は設定温度Ｔｓｅｔを適宜減少させる。設定温度Ｔｓｅｔが適宜減少することで、空調機器３０１によって推定気温Ｔａが快適温度ゾーンＣＺの中央値Ｔｃの付近に位置するような制御が行われる。
【００８１】
次に、空調管理サーバ１０１による、快適温度ゾーンＣＺの設定方法について説明する。空調管理サーバ１０１は図１３のフローチャートに示される処理を行うことによって、快適温度ゾーンＣＺを設定する。
【００８２】
ステップＳ４０１において、評価取得部１１０は、各ユーザ端末２０１に、図１４に示されるような評価画面５１０を表示するために必要な評価画面情報を送信する。評価画面５１０は、周囲気温欄５１１、空調機器設定温度欄５１２、評価ボタン５１３、５１４、端末温度情報表示欄５１５、及び備考欄５１６を有する。なお、評価画面５１０は、例えば、ユーザ端末２０１にインストールされた専用のアプリケーションにより表示されてもよいし、ウェブブラウザ等の汎用のアプリケーションにより表示されてもよい。
【００８３】
評価取得部１１０は、気温推定部１５０が推定した推定気温Ｔａ、記憶部１６０に記憶された空調機器の設定温度Ｔｓｅｔ、温度情報取得部１３０が取得したＣＰＵ温度とＣＰＵタイプとＣＰＵ使用率、及び備考情報を、ユーザ端末２０１へ送信する。
【００８４】
ユーザ端末２０１において、周囲気温欄５１１に推定気温Ｔａ、空調機器設定温度欄５１２に設定温度Ｔｓｅｔがそれぞれ表示される。
【００８５】
各ユーザＵは、周囲気温欄５１１を参照することによって、自身の周囲の気温を知ることができる。各ユーザＵは空調機器設定温度欄５１２を参照することによって、空調機器の設定温度を知ることができる。
【００８６】
評価ボタン５１３には「暑い」という文字が表示される。評価ボタン５１４には「寒い」という文字が表示される。評価ボタン５１３又は評価ボタン５１４を各ユーザＵが選択する若しくはいずれも選択しないことによって、ユーザＵによる気温評価がなされる。
【００８７】
ユーザＵが暑いと感じている場合は、ユーザＵは評価ボタン５１３を選択する。ユーザＵが寒いと感じている場合は、ユーザＵは評価ボタン５１４を選択する。ユーザ端末２０１は、評価ボタン５１３又は評価ボタン５１４が選択されているという選択情報を保持する。また、評価ボタン５１３及び４１４のいずれもが選択されていない場合は、ユーザＵが気温に対して要望を有していないということである。この場合においても、ユーザ端末２０１は、ボタンが選択されていないという選択情報を保持する。
【００８８】
端末温度情報表示欄５１５に、ＣＰＵ温度、ＣＰＵタイプ、及びＣＰＵ使用率が表示される。備考欄５１６には、備考情報として管理者からのメッセージが表示される。
【００８９】
なお、ＣＰＵ温度、ＣＰＵタイプ、及びＣＰＵ使用率は、空調管理サーバ１０１を経由せずに、ユーザ端末２０１によって直接取得された情報が表示されてもよい。
【００９０】
ステップＳ４０２において、評価取得部１１０は、ユーザ端末２０１における評価ボタン５１３及び評価ボタン５１４による選択情報を参照し、各ユーザＵによる気温評価を取得する。
【００９１】
ステップＳ４０３において、評価取得部１１０は、各ユーザ端末２０１において選択された、「暑い」の件数Ｎｈ及び「寒い」の件数Ｎｃをそれぞれ算出する。
【００９２】
ステップＳ４０４において、評価取得部１１０は、記憶部１６０に予め記憶されたユーザの評価の必要数Ｎｔｈを取得する。必要数Ｎｔｈは、ユーザＵの人数に対して、十分な人数が気温評価を行っているか否かを判断するために用いられる。必要数Ｎｔｈを用いることで少数の気温評価によって、快適温度ゾーンＣＺが変更されることを抑制できる。
【００９３】
ステップＳ４０５において、評価取得部１１０は、快適温度ゾーン設定部１２０から、快適温度ゾーンＣＺの最大値Ｔｍａｘ及び最小値Ｔｍｉｎを取得する。
【００９４】
ステップＳ４１６において、評価取得部１１０は、「暑い」の件数Ｎｈが「寒い」の件数Ｎｃよりも大きくかつ「暑い」の件数Ｎｈが必要数Ｎｔｈよりも大きいか否かを判断する。
【００９５】
ステップＳ４１６において肯定判断された場合は、各ユーザＵの気温評価を多数決した場合に、暑いと思うユーザＵの数が多くかつ相当数のユーザＵが暑いと感じていることを意味する。
【００９６】
ステップＳ４１６において肯定判断された場合、快適温度ゾーン設定部１２０は、ステップＳ４１７において、快適温度ゾーンＣＺのゾーン変化量ΔＴ１を算出する。
【００９７】
ステップＳ４１８において、快適温度ゾーン設定部１２０は、最小値Ｔｍｉｎからゾーン変化量ΔＴ１を減じた値を新たな最小値Ｔｍｉｎとして設定する。また、最大値Ｔｍａｘからゾーン変化量ΔＴ１を減じた値を新たな最大値Ｔｍａｘとして設定する。
【００９８】
ステップＳ４１６において否定判断された場合、評価取得部１１０は、ステップＳ４２６において、「寒い」の件数Ｎｃが「暑い」の件数Ｎｈよりも大きくかつ「寒い」の件数Ｎｈが必要数Ｎｔｈよりも大きいか否かを判断する。
【００９９】
ステップＳ４２６において肯定判断された場合は、各ユーザＵの気温評価を多数決した場合に、寒いと思うユーザＵの数が多くかつ相当数のユーザＵが寒いと感じていることを意味する。
【０１００】
ステップＳ４２６において肯定判断された場合、快適温度ゾーン設定部１２０は、ステップＳ４２７において、快適温度ゾーンＣＺのゾーン変化量ΔＴ２を算出する。
【０１０１】
ステップＳ４２８において、快適温度ゾーン設定部１２０は、最小値Ｔｍｉｎにゾーン変化量ΔＴ２を加えた値を新たな最小値Ｔｍｉｎとして設定する。また、最大値Ｔｍａｘにゾーン変化量ΔＴ２を加えた値を新たな最大値Ｔｍａｘとして設定する。
【０１０２】
ステップＳ４２６において否定判断された場合、快適温度ゾーン設定部１２０は、最大値Ｔｍａｘ及び最小値Ｔｍｉｎを変更しない。つまり、快適温度ゾーンＣＺは同じ状態が再度設定される。
【０１０３】
快適温度ゾーン設定部１２０による快適温度ゾーンＣＺの設定過程の一例を図１５に示す。なお、ここでは、説明のために、推定気温Ｔａは、快適温度ゾーンＣＺの中央値Ｔｃに保たれる理想的な状況を仮定する。実際には、推定気温Ｔａは時間経過に伴って変動する。
【０１０４】
図１５では、まず時間間隔Ｔ１ごとに、空調管理サーバ１０１によって図１３に示された処理が行われる。時刻Ｃ１における処理において、評価取得部１１０がステップＳ４１６において肯定判断したとする。このとき、快適温度ゾーン設定部１２０が、快適温度ゾーンＣＺをゾーン変化量ΔＴ１だけ下方へシフトさせる。
【０１０５】
快適温度ゾーンＣＺが、このように、気温評価の件数に基づいて変更された場合、空調管理サーバ１０１は、時間間隔Ｔ１より長い時間間隔Ｔ２で、図１３に示された処理が行われる。ここでは、時間間隔Ｔ２の場合の処理は、快適温度ゾーンＣＺをシフトさせないような処理が行われている。
【０１０６】
時刻Ｃ１よりも後の時刻Ｃ２において、評価取得部１１０がステップＳ４１６において肯定判断したとする。このとき、快適温度ゾーン設定部１２０が、快適温度ゾーンＣＺをゾーン変化量ΔＴ１だけさらに下方へシフトさせる。なお、この場合のゾーン変化量ΔＴ１は、時刻Ｃ１における場合とは異なる値でも同じ値であってもよい。
【０１０７】
時刻Ｃ２よりも後の時刻Ｃ３において、評価取得部１１０がステップＳ４２６において肯定判断したとする。このとき、快適温度ゾーン設定部１２０が、快適温度ゾーンＣＺをゾーン変化量ΔＴ２だけ上方へシフトさせる。
【０１０８】
快適温度ゾーン設定部１２０による快適温度ゾーンＣＺの設定は、図１６に示されるフローチャートによる処理によって行われてもよい。ステップＳ５０１からステップＳ５０５までは、ステップＳ４０１からステップＳ４０５と同様である。
【０１０９】
ステップＳ５０６において、快適温度ゾーン設定部１２０は、記憶部１６０に予め記憶された、快適温度ゾーンの幅の上限値Ｔｔｈ１及び下限値Ｔｔｈ２を取得する。
【０１１０】
ステップＳ５１７、Ｓ５１８、Ｓ５２７、及びＳ５２８は、ステップＳ４１６、Ｓ４１７、Ｓ４２６、及びＳ４２７と同様である。ステップＳ５２７において否定判断された場合も、ステップＳ４２６と同様である。
【０１１１】
ステップＳ５１９において、快適温度ゾーン設定部１２０は、最大値Ｔｍａｘからゾーン変化量ΔＴ１を減じた値を新たな最大値Ｔｍａｘとして設定する。ステップＳ５２９において、快適温度ゾーン設定部１２０は、最小値Ｔｍｉｎにゾーン変化量ΔＴ２を加えた値を新たな最小値Ｔｍｉｎとして設定する。
【０１１２】
ステップＳ５１０において、快適温度ゾーン設定部１２０は、快適温度ゾーンのゾーン幅Ｔｗを、最大値Ｔｍａｘと最小値Ｔｍｉｎの差から算出する。
【０１１３】
ステップＳ５１１１において、快適温度ゾーン設定部１２０は、ゾーン幅Ｔｗが上限値Ｔｔｈ１より大きいか否かを判断する。ステップＳ５１１１において肯定判断された場合、快適温度ゾーン設定部１２０は、最小値Ｔｍｉｎからゾーン変化量ΔＴ１を減じた値を新たな最小値Ｔｍｉｎとして設定する。
【０１１４】
ステップＳ５１１２において否定判断された場合、快適温度ゾーン設定部１２０は、ステップＳ５２１１において、ゾーン幅Ｔｗが下限値Ｔｔｈ２より小さいか否かを判断する。ステップＳ５２１１で肯定判断された場合、快適温度ゾーン設定部１２０は、最大値Ｔｍａｘにゾーン変化量ΔＴ２を加えた値を新たな最大値Ｔｍａｘとして設定する。ステップＳ５２１１で否定判断された場合は、処理を終了する。
【０１１５】
快適温度ゾーン設定部１２０による快適温度ゾーンＣＺの設定過程の他の一例を図１７に示す。推定気温Ｔａの変動に関しては図１５についてと同様に仮定する。例えば、時刻Ｃ４において、評価取得部１１０がステップＳ５１７において肯定判断したとする。
【０１１６】
このとき、快適温度ゾーン設定部１２０は、最大値Ｔｍａｘをゾーン変化量ΔＴ１だけさらに下方へシフトさせる。最大値Ｔｍａｘのシフトによって変化した快適温度ゾーンＣＺのゾーン幅Ｔｗは、上限値Ｔｔｈ１より小さくかつ下限値Ｔｔｈ２より大きいとする。このとき、最小値Ｔｍｉｎはそのままである。
【０１１７】
時刻Ｃ５において、評価取得部１１０がステップＳ５１７において肯定判断したとする。このとき、快適温度ゾーン設定部１２０は、最大値Ｔｍａｘをゾーン変化量ΔＴ１だけさらに下方へシフトさせる。
【０１１８】
ゾーン幅Ｔｗが、下限値Ｔｔｈ２より小さくなるとする。このとき、快適温度ゾーン設定部１２０は、最小値Ｔｍｉｎをゾーン変化量ΔＴ１だけ下方へシフトさせる。
【０１１９】
時刻Ｃ６において、評価取得部１１０がステップＳ５２７において肯定判断したとする。このとき、快適温度ゾーン設定部１２０は、最大値Ｔｍａｘをゾーン変化量ΔＴ２だけ上方へシフトさせる。ゾーン幅Ｔｗは、上限値Ｔｔｈ１より小さくかつ下限値Ｔｔｈ２より大きいとする。このとき、最小値Ｔｍｉｎはそのままである。
【０１２０】
なお、ステップＳ５１１１及びステップＳ５２１２におけるゾーン変化量ΔＴ１及びΔＴ２は、先に設定されたゾーン変化量と異なっていてもよい。つまり、上限値Ｔｔｈ１及び下限値Ｔｔｈ２の条件を満たす範囲内で最大値Ｔｍａｘ又は最小値Ｔｍｉｎを変更することができればよい。
【０１２１】
図１６又は図１７に示されるように快適温度ゾーンＣＺをユーザＵからの気温評価によって設定することで、よりユーザＵの要求を反映した快適な空調環境を提供することができるようになる。
【０１２２】
空調管理サーバ１０１は、ユーザ端末２０１又は管理者端末２０２に、気温評価を伝えるための画面を表示させることができる。あるユーザ端末２０１に対して気温評価を伝える画面を表示する場合について、図１８、図１９を参照して説明する。
【０１２３】
図１８は空調管理サーバ１０１による処理のフローチャートである。ステップＳ６０１において、他者評価表示部１８０は、記憶部１６０に記憶された空間Ｓの地図情報を取得する。
【０１２４】
ステップＳ６０２において、他者評価表示部１８０は、当該ユーザ端末２０１の位置としてユーザＵの空間Ｓにおける位置を取得する。ステップＳ６０３において、他者評価表示部１８０は、気温推定部１５０から、空間内の各領域における推定気温Ｔａに関する情報を取得する。
【０１２５】
ステップＳ６０４において、他者評価表示部１８０は、他のユーザの位置情報を取得する。ステップＳ６０５において、他者評価表示部１８０は、評価取得部１１０から、他のユーザによる気温評価を取得する。
【０１２６】
ステップＳ６０６において、他者評価表示部１８０は、当該ユーザ端末２０１の画面に、地図画面１８１を、ユーザＵの位置、推定気温Ｔａに関する情報、及び他のユーザによる気温評価を重ねて表示する。
【０１２７】
地図画面１８１の一例は図１９に示される。図１９では、他のユーザの位置の近くに気温評価を配置することで、他のユーザの位置と気温評価が対応して表示される。
【０１２８】
管理者端末２０２に対して気温評価を伝える画面を表示する場合について、図２０、図２１を参照して説明する。
【０１２９】
図２０は空調管理サーバ１０１による処理のフローチャートである。ステップＳ７０１において、管理画面表示部１９０は、記憶部１６０に記憶された空間Ｓの地図情報を取得する。ステップＳ７０２において、管理画面表示部１９０は、各ユーザ端末２０１の位置としてユーザＵの空間Ｓにおける位置を取得する。ステップＳ７０３において、管理画面表示部１９０は、気温推定部１５０から、空間内の各領域における各ユーザＵの周囲の気温を取得する。
【０１３０】
ステップＳ７０４において、管理画面表示部１９０は、評価取得部１１０から、各ユーザによる気温評価を取得する。
【０１３１】
ステップＳ７０５において、管理画面表示部１９０は、管理者端末２０２の画面に、地図画面１９１を、推定気温Ｔａに関する情報、各ユーザによる気温評価、及び空調機器３０１のそれぞれが気温を管理可能な範囲、を重ねて表示する。
【０１３２】
地図画面１９１の一例は図２１に示される。図２１では、ユーザの位置の近くにそのユーザによる気温評価を配置することで、ユーザの位置と気温評価が対応して表示される。
【０１３３】
なお、地図画面１８１及び地図画面１９１においては、例えば、表形式で気温評価を表示してもよい。また、推定気温Ｔａに関する情報は、推定気温Ｔａを推定するために用いる各ユーザＵの周囲の気温をそのまま用いてもよく、推定気温Ｔａを用いてもよい。
【０１３４】
以上本実施形態について説明した。本実施形態に係る空調管理サーバ１０１は、空調機器３０１によって温度が管理される空間Ｓ内に配置される複数のユーザ端末２０１のそれぞれのユーザＵにより入力される気温評価を、複数のユーザ端末２０１のそれぞれから取得する評価取得部１１０と、気温評価に基づいて、快適温度ゾーンＣＺを設定する快適温度ゾーン設定部１２０と、を備える。
【０１３５】
空調管理サーバ１０１は、評価取得部１１０により空間Ｓ内のユーザＵからの気温評価を取得し、気温評価に基づいて、快適温度ゾーンＣＺの設定を行う。空調機器３０１は、空間内の気温が快適温度ゾーンＣＺの範囲内に位置するような空調制御を行う。快適温度ゾーンＣＺに基づいて、空調機器３０１に空調制御を行わせることで、各ユーザＵにとって快適な空調環境を作り出すことができる。
【０１３６】
空調管理サーバ１０１では、気温評価は、暑い場合になされる気温評価及び寒い場合になされる気温評価を含む。暑いか寒いかという、各ユーザＵの体感温度を基準とした評価に基づいて、快適温度ゾーンＣＺの温度を設定することができる。温度に基づく評価によって、温度を設定できるので、ユーザＵの評価を適切に反映して快適温度ゾーンＣＺを設定できる。
【０１３７】
快適温度ゾーン設定部１２０は、暑い場合になされる気温評価の件数Ｎｈ及び寒い場合になされる気温評価の件数Ｎｃに基づいて、快適温度ゾーンＣＺを設定する。気温評価の件数Ｎｈ及びＮｃを用いることで、空間Ｓ内のユーザＵによる全体的な評価を反映して快適温度ゾーンＣＺを設定できる。
【０１３８】
評価取得部１１０は、所定の時間間隔Ｔ１ごとに取得される気温評価の件数Ｎｈ及びＮｃに基づいて快適温度ゾーンＣＺが設定された場合に、時間間隔Ｔ１よりも長い時間間隔Ｔ２で、快適温度ゾーンＣＺを設定する。
【０１３９】
快適温度ゾーンＣＺの変更までの時間間隔を異ならせることで、空調機器３０１の設定温度Ｔｓｅｔが頻繁に変更されないようにすることができる。よって、空間Ｓ内での気温の変動を抑制することができるので、ユーザＵの快適性が損なわれにくくなる。
【０１４０】
快適温度ゾーン設定部１２０は、気温評価の件数Ｎｈが、気温評価の件数Ｎｃよりも多い場合は、快適温度ゾーンＣＺの最大値Ｔｍａｘを下げ、気温評価の件数Ｎｈが、気温評価の件数Ｎｃよりも少ない場合は、快適温度ゾーンＣＺの最小値Ｔｍｉｎを上げるように、快適温度ゾーンＣＺを設定する。
【０１４１】
気温評価の件数Ｎｈ及びＮｃに基づいて、多数決をとることで、ユーザＵの暑い又は寒いという評価を反映できるので、より適切な快適温度ゾーンＣＺの設定を行うことができる。
【０１４２】
快適温度ゾーン設定部１２０は、最大値Ｔｍａｘと最小値Ｔｍｉｎの差であるゾーン幅Ｔｗが所定の上限値Ｔｔｈ１及び下限値Ｔｔｈ２の範囲内にあるように、快適温度ゾーンＣＺを設定する。これにより、快適温度ゾーンＣＺを適切な範囲内で変更することができるので、快適温度ゾーンＣＺの設定範囲が不安定になることを抑制できる。
【０１４３】
快適温度ゾーン設定部１２０は、最大値Ｔｍａｘを下げる場合、最小値Ｔｍｉｎを最大値Ｔｍａｘのゾーン変化量ΔＴ１と同量減少させ、最小値Ｔｍｉｎを上げる場合、最大値Ｔｍａｘを最小値Ｔｍｉｎのゾーン変化量ΔＴ２と同量増加させるように、快適温度ゾーンを設定してもよい。これにより、快適温度ゾーンＣＺのゾーン幅Ｔｗを一定に保ちつつ、快適温度ゾーンＣＺの設定を行うことができる。
【０１４４】
空調管理サーバ１０１は、複数のユーザ端末２０１のそれぞれから、複数のユーザ端末２０１のそれぞれのＣＰＵ温度を含む端末温度情報を取得する温度情報取得部１３０と、端末温度情報に基づいて、複数のユーザ端末２０１のそれぞれの周囲の気温の推定値である推定気温Ｔａを算出する気温推定部１５０と、をさらに備える。
【０１４５】
これにより、ユーザ端末２０１を用いてユーザ端末２０１が配置される空間Ｓ内の各地点の気温を推定することができる。ユーザ端末２０１を空調管理サーバ１０１に接続するだけで各地の気温を推定できる。よって、別途気温計測手段を設けなくてよいので、より簡易に空調管理を行うシステムを導入することができる。
【０１４６】
端末温度情報には、ユーザ端末２０１のＣＰＵの種別及びユーザ端末２０１のＣＰＵ使用率が含まれる。これによりＣＰＵ温度が取得できない場合であっても、ユーザ端末２０１のＣＰＵの種別及びユーザ端末２０１のＣＰＵ使用率から気温を推定することが可能となる。
【０１４７】
センサ情報取得部１４０が空間Ｓ内に設けられた気温センサ４０１によってセンサ気温を取得し、快適温度ゾーン設定部１２０は、推定気温Ｔａ、計測気温、及び気温評価に基づいて、快適温度ゾーンＣＺを設定してもよい。これにより、ユーザ端末２０１が配置されないような場所の気温も考慮して快適温度ゾーンＣＺの設定を行うことができる。
【０１４８】
空調管理サーバ１０１は、端末温度情報及び当該端末温度情報が取得された際における気温の実測値を教師データとして、機械学習された気温推定モデルが記憶される記憶部１６０を、さらに備え、気温推定部１５０は、気温推定モデルにより推定気温Ｔａを算出できる。機械学習された気温推定モデルを用いることで、高い精度をもって推定気温Ｔａを推定することができる。
【０１４９】
気温推定部１５０は、ユーザ端末２０１が起動してから経過した起動時間を取得し、気温推定部は、端末温度情報及び起動時間の関数として予め定義された気温推定モデルにより推定気温を算出してもよい。これにより、ＣＰＵ温度が取得できない場合であっても、ＣＰＵの種別、ＣＰＵ使用率、及び起動時間の関数から推定気温Ｔａを推定することができる。
【０１５０】
空調管理サーバ１０１は、ユーザ端末２０１の画面に、空間Ｓの地図画面１８１を表示し、地図画面１８１に、ユーザＵの位置、推定気温Ｔａに関する情報、及びユーザＵとは異なるユーザによる気温評価、を重ねて表示する他者評価表示部１８０を、さらに備えてもよい。
【０１５１】
これにより、ユーザＵは自身の周囲にいる他のユーザによる気温評価を参照することができる。他のユーザによる気温評価を参照することで、自身のみならず他のユーザにとって快適な環境であるかどうかを知ることができる。
【０１５２】
他者評価表示部１８０は、ユーザによる気温評価を、地図画面１８１に、異なるユーザの位置に対応させて表示してもよい。これにより、各ユーザＵの気温評価の対応付けが容易になる。
【０１５３】
空調機器３０１の管理者の管理者端末２０２の画面に、空間Ｓの地図画面１９１を表示し、地図画面１９１に、推定気温に関する情報、複数のユーザＵによる気温評価、及び空調機器３０１のそれぞれが気温を管理可能な範囲Ａ１、Ａ２、Ａ３、を重ねて表示する管理画面表示部１９０を、さらに備えてもよい。
【０１５４】
これにより、空調機器３０１の管理に必要な情報を管理者が参照することができ、空調機器３０１の設定温度Ｔｓｅｔをより簡単に設定することができるようになる。
【０１５５】
管理画面表示部１９０は、複数のユーザＵによる気温評価を、地図画面１９１に、複数のユーザのそれぞれの位置に対応させて表示してもよい。これにより、各ユーザＵの気温評価の対応付けが容易になる。
【０１５６】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。
【符号の説明】
【０１５７】
１０１…空調管理サーバ、１１０…評価取得部、１２０…快適温度ゾーン設定部、１３０…温度情報取得部、１４０…センサ情報取得部、１５０…気温推定部、１６０…記憶部、１７０…入力画面表示部、１８０…他者評価表示部、１９０…管理画面表示部、２０１…ユーザ端末、２０２…管理者端末、３０１…空調機器、４０１…気温センサ
【図１】
2020180744.tif 000003
【図２】
2020180744.tif 000004
【図３】
2020180744.tif 000005
【図４】
2020180744.tif 000006
【図５】
2020180744.tif 000007
【図６】
2020180744.tif 000008
【図７】
2020180744.tif 000009
【図８】
2020180744.tif 000010
【図９】
2020180744.tif 000011
【図１０】
2020180744.tif 000012
【図１１】
2020180744.tif 000013
【図１２】
2020180744.tif 000014
【図１３】
2020180744.tif 000015
【図１４】
2020180744.tif 000016
【図１５】
2020180744.tif 000017
【図１６】
2020180744.tif 000018
【図１７】
2020180744.tif 000019
【図１８】
2020180744.tif 000020
【図１９】
2020180744.tif 000021
【図２０】
2020180744.tif 000022
【図２１】
2020180744.tif 000023
【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
空調管理サーバであって、
空調機器によって温度が管理される空間内に配置される複数のコンピュータのそれぞれのユーザにより入力される気温評価を、前記複数のコンピュータのそれぞれから取得する評価取得部と、
前記気温評価に基づいて、前記空間内の前記ユーザが、温度環境が快適であると感じる温度範囲である快適温度範囲を設定する快適温度範囲設定部と、
前記複数のコンピュータのそれぞれから、前記複数のコンピュータのそれぞれのＣＰＵ温度に関する情報である端末温度情報を取得する温度情報取得部と、
前記端末温度情報に基づいて、前記複数のコンピュータのそれぞれの周囲の気温の推定値である推定気温を算出する気温推定部と、を備え、
前記空調機器は、前記推定気温及び前記快適温度範囲に基づいて、前記空間内の前記温度が前記快適温度範囲の範囲内に位置するような空調制御を行う、空調管理サーバ。
【請求項２】
請求項１に記載の空調管理サーバであって、
前記気温評価は、暑い場合になされる第１気温評価及び寒い場合になされる第２気温評価を含む、空調管理サーバ。
【請求項３】
請求項２に記載の空調管理サーバであって、
前記快適温度範囲設定部は、前記第１気温評価の件数及び前記第２気温評価の件数に基づいて、前記快適温度範囲を設定する、空調管理サーバ。
【請求項４】
請求項３に記載の空調管理サーバであって、
前記評価取得部は、所定の第１時間間隔ごとに取得される前記第１気温評価の件数及び前記第２気温評価の件数に基づいて前記快適温度範囲が設定された場合に、
前記第１時間間隔よりも長い第２時間間隔で、前記快適温度範囲を設定する、空調管理サーバ。
【請求項５】
請求項３又は４に記載の空調管理サーバであって、
前記快適温度範囲設定部は、
前記第１気温評価の件数が、前記第２気温評価の件数よりも多い場合は、前記快適温度範囲の最大値を下げ、
前記第１気温評価の件数が、前記第２気温評価の件数よりも少ない場合は、前記快適温度範囲の最小値を上げるように、前記快適温度範囲を設定する、空調管理サーバ。
【請求項６】
請求項５に記載の空調管理サーバであって、
前記快適温度範囲設定部は、
前記最大値と前記最小値の差である範囲幅が所定の上限値及び下限値の範囲内にあるように、前記快適温度範囲を設定する、空調管理サーバ。
【請求項７】
請求項６に記載の空調管理サーバであって、
前記快適温度範囲設定部は、
前記最大値を下げる場合、前記最小値を前記最大値の減少量と同量減少させ、
前記最小値を上げる場合、前記最大値を前記最小値の増加量と同量増加させるように、
前記快適温度範囲を設定する、空調管理サーバ。
【請求項８】
請求項１から７のいずれか一項に記載の空調管理サーバであって、
前記温度情報取得部は、前記複数のコンピュータのそれぞれから、前記端末温度情報として、前記複数のコンピュータのそれぞれのＣＰＵ温度を取得する、空調管理サーバ。
【請求項９】
請求項８に記載の空調管理サーバであって、
前記端末温度情報及び当該端末温度情報が取得された際における気温の実測値を教師データとして、機械学習された気温推定モデルが記憶される記憶部を、さらに備え、
前記気温推定部は、前記気温推定モデルにより前記推定気温を算出する、空調管理サーバ。
【請求項１０】
請求項９に記載の空調管理サーバであって、
前記端末温度情報には、前記コンピュータのＣＰＵの種別及び前記コンピュータのＣＰＵ使用率が含まれる、空調管理サーバ。
【請求項１１】
請求項１から７のいずれか一項に記載の空調管理サーバであって、
前記温度情報取得部は、前記複数のコンピュータのそれぞれから、前記端末温度情報として、ＣＰＵの種別、ＣＰＵ使用率及び前記複数のコンピュータのそれぞれが起動してから経過した起動時間を取得し、
前記気温推定部は、前記ＣＰＵの種別、前記ＣＰＵ使用率及び前記起動時間の関数として予め定義された気温推定モデルにより、前記推定気温を算出する、空調管理サーバ。
【請求項１２】
請求項１から１１のいずれか一項に記載の空調管理サーバであって、
前記空間内に設けられた気温センサによって計測気温を取得するセンサ情報取得部、をさらに備え、
前記快適温度範囲設定部は、前記推定気温、前記計測気温、及び前記気温評価に基づいて、前記快適温度範囲を設定する、空調管理サーバ。
【請求項１３】
請求項１２に記載の空調管理サーバであって、
前記コンピュータの画面に、前記空間の地図画面を表示し、
前記地図画面に、前記ユーザの位置、前記推定気温に関する情報、及び前記ユーザとは異なるユーザによる前記気温評価、を重ねて表示する他者評価表示部を、さらに備える、空調管理サーバ。
【請求項１４】
請求項１３に記載の空調管理サーバであって、
前記他者評価表示部は、前記異なるユーザによる前記気温評価を、前記地図画面に、前記異なるユーザの位置に対応させて表示する、空調管理サーバ。
【請求項１５】
請求項１２に記載の空調管理サーバであって、
前記空調機器の管理者のコンピュータの画面に、前記空間の地図画面を表示し、
前記地図画面に、前記推定気温に関する情報、前記複数のユーザによる前記気温評価、及び前記空調機器のそれぞれが気温を管理可能な範囲、を重ねて表示する管理画面表示部を、さらに備える、空調管理サーバ。
【請求項１６】
請求項１５に記載の空調管理サーバであって、
前記管理画面表示部は、前記複数のユーザによる前記気温評価を、前記地図画面に、前記複数のユーザのそれぞれの位置に対応させて表示する、空調管理サーバ。
【請求項１７】
空調管理方法であって、
空調管理サーバが、
空調機器によって温度が管理される空間内に配置される複数のコンピュータのそれぞれのユーザにより入力される気温評価を、前記複数のコンピュータのそれぞれから取得する評価取得ステップと、
前記気温評価に基づいて、前記空間内の前記ユーザが、温度環境が快適であると感じる温度範囲である快適温度範囲を設定する快適温度範囲設定ステップと、
前記複数のコンピュータのそれぞれから、前記複数のコンピュータのそれぞれのＣＰＵ温度に関する情報である端末温度情報を取得する温度情報取得ステップと、
前記端末温度情報に基づいて、前記複数のコンピュータのそれぞれの周囲の気温の推定値である推定気温を算出する気温推定ステップと、を含み、
前記空調機器は、前記推定気温及び前記快適温度範囲に基づいて、前記空間内の前記温度が前記快適温度範囲の範囲内に位置するような空調制御を行う、空調管理方法。
【請求項１８】
空調管理サーバに、
空調機器によって温度が管理される空間内に配置される複数のコンピュータのそれぞれのユーザにより入力される気温評価を、前記複数のコンピュータのそれぞれから取得する評価取得部と、
前記気温評価に基づいて、前記空間内の前記ユーザが、温度環境が快適であると感じる温度範囲である快適温度範囲を設定する快適温度範囲設定部と、
前記複数のコンピュータのそれぞれから、前記複数のコンピュータのそれぞれのＣＰＵ温度に関する情報である端末温度情報を取得する温度情報取得部と、
前記端末温度情報に基づいて、前記複数のコンピュータのそれぞれの周囲の気温の推定値である推定気温を算出する気温推定部と、を実現させ、
前記空調機器は、前記推定気温及び前記快適温度範囲に基づいて、前記空間内の前記温度が前記快適温度範囲の範囲内に位置するような空調制御を行う、空調管理プログラム。